(57)【要約】【課題】各種電子機器に使用される開閉装置に関し、滑らかで確実な開閉操作が可能なものを提供することを目的とする。【解決手段】四つの固定カム１３Ａ〜１３Ｄと可動カム１５Ａ〜１５Ｄや１６Ａ〜１６Ｄの、対向する一対を内寄りに、これと直交方向の一対を外寄りに、回転中心から異なる半径上に形成することによって、開閉操作の際、閉状態または開状態になるまでは固定カムと可動カムが噛合しないため、引掛かり感がなく、滑らかで確実な開閉操作が可能な開閉装置を得ることができる。【選択図】図１
2006292061.tif 000002
【特許請求の範囲】
【請求項１】
貫通孔の外周下面に四つの固定カムが設けられた固定体と、この固定体に対し回転可能に配置されると共に、貫通孔の外周上面に四つの可動カムが設けられた可動体と、上記固定カムと上記可動カムを弾接させるばねと、上記固定体と上記可動体の貫通孔を挿通し、これらを回転可能に係合させる固定軸からなり、上記固定カムと可動カムの対向する一対を内寄りに、これと直交方向の一対を外寄りに形成した開閉装置。
【請求項２】
固定軸の端部と可動体の間に、摺滑体を挟持した請求項１記載の開閉装置。
【発明の詳細な説明】
【技術分野】
【０００１】
本発明は、携帯電話やビデオカメラ等の、各種電子機器に使用される開閉装置に関するものである。
【背景技術】
【０００２】
近年、携帯電話やビデオカメラ等の電子機器の小型化や高機能化が進む中、固定筐体に対して可動筐体が回転し開閉可能に装着されたものが増えており、これらに用いられる開閉装置においても、開閉操作が確実でより使い易いものが求められている。
【０００３】
このような従来の開閉装置について、図４及び図５を用いて説明する。
【０００４】
図４は従来の開閉装置の分解斜視図であり、同図において、１は略板状の固定体、２は略円盤状の節度板で、固定体１左端には略小判状の貫通孔１Ａが形成されると共に、節度板２の略小判状の貫通孔２Ａの外周下面には、四つの凸状の固定カム２Ｂが、貫通孔２Ａ中心から同半径上に９０度間隔で設けられている。
【０００５】
つまり、これらの四つの固定カムは、固定体１の長手方向に対して０，９０，１８０，２７０度の位置に、同半径上に各々形成されている。
【０００６】
そして、３は略板状の可動体で、右端に円形の貫通孔３Ａが形成されると共に、この貫通孔３Ａ外周上面には、貫通孔３Ａ中心から同半径上に９０度間隔で、つまり可動体３の長手方向に対し０，９０，１８０，２７０度の位置に四つの凹状の可動カム４Ａと、この可動カム４Ａから２０度離れ等間隔で、つまり可動体３の長手方向に対し２０，１１０，２００，２９０度の位置に四つの凹状の可動カム４Ｂが設けられている。
【０００７】
また、５は略リング状で金属薄板製のばねで、固定体１下面と節度板２の間に、やや撓んだ状態で装着され、このばね５によって節度板２が下方へ付勢され、節度板２下面の固定カム２Ｂと、可動体３上面の可動カム４Ａや４Ｂが弾接している。
【０００８】
さらに、６は金属製で中空円筒状の固定軸で、筒部６Ａが固定体１の貫通孔１Ａやばね５、節度板２の貫通孔２Ａ、可動体３の貫通孔３Ａを挿通すると共に、下端には筒部６Ａよりも外径の大きな頭部６Ｂが形成され、この頭部６Ｂが可動体３下面に当接している。
【０００９】
そして、固定体１上面から突出した固定軸６の筒部６Ａ上端が、可動カム４Ａや４Ｂと噛合するために節度板２が上下動可能な隙間を空けて、略円錐状のポンチ(図示せず)等によって下方へ巻回かしめされ、各部品が固定軸６によって係合されて開閉装置が構成されている。
【００１０】
なお、固定軸６の筒部６Ａ両側面には平坦部６Ｃが形成されているため、筒部６Ａが挿通する貫通孔３Ａが円形の可動体３は、固定軸６に対して回転可能に係合されているが、貫通孔１Ａや２Ａが略小判状の固定体１や節度板２は、回転しないように係止され、つまり、固定軸６を介して、可動体３が固定体１や節度板２に対し回転可能に係合されている。
【００１１】
また、このように構成された開閉装置は、例えば、固定体１が携帯電話やビデオカメラ等の、複数の操作部やマイクロフォン等が設けられた機器の固定筐体へ、可動体３が表示画面やスピーカ、カメラ等が設けられた可動筐体へ各々固着され、開閉装置によって、固定筐体に対して可動筐体が開閉可能に形成されて電子機器が構成される。
【００１２】
以上の構成において、図５（ａ）の要部断面図に示すように、固定体１に対し可動体３が平行に重なった状態、つまり可動筐体が固定筐体に対して閉じた状態では、ばね５によって付勢された節度板２の貫通孔２Ａの外周に、中心から同半径上に９０度間隔で設けられた四つの凸状の固定カム２Ｂが、可動体３の貫通孔３Ａ外周に同半径上に９０度間隔で形成された、四つの凹状の可動カム４Ａに各々噛合して、可動筐体が閉状態に保持されている。
【００１３】
また、この閉状態から、可動筐体を手で開くと、可動筐体に固着された可動体３が反時計方向へ回転して、各可動カム４Ａが固定カム２Ｂから外れ、可動体３の回転に伴って、固定カム２Ｂが貫通孔３Ａ外周の可動体３上面を弾接摺動する。
【００１４】
そして、例えば、図５（ｄ）に示すように、可動体３を反時計方向へ１６０度まで回転すると、貫通孔３Ａ外周に可動カム４Ａと同半径上で、可動カム４Ａから２０度離れ等間隔で形成された四つの凹状の可動カム４Ｂが、四つの凸状の固定カム２Ｂに各々噛合して、可動筐体が固定筐体に対して１６０度開いた状態に保持される。
【００１５】
つまり、例えば、図５（ａ）で２０度の位置にあった可動カム４Ｂは、１８０度の位置の固定カム２Ｂに、同じく、２００度の位置にあった可動カム４Ｂは０度の位置の固定カム２Ｂに各々噛合する。
【００１６】
ただし、上述したように、互いに噛合する四つの固定カム２Ｂと四つの可動カム４Ａ，４Ｂは、回転中心に対し同半径上に等間隔で形成されているため、可動筐体が図５（ｄ）の開状態になるまでの、図５（ｂ）に示す角度では、例えば、図５（ａ）で２０度の位置にあった可動カム４Ｂが９０度の位置の固定カム２Ｂに噛合し、可動体３は７０度の回転角度で一旦停止する。
【００１７】
さらに、この後２０度回転した後も、図５（ｃ）に示すように、例えば、図５（ａ）で０度の位置にあった可動カム４Ａが９０度の位置の固定カム２Ｂに噛合し、９０度の回転角度でも可動体３は一旦停止する。
【００１８】
つまり、可動筐体を０度の閉状態から１６０度の開状態に開く間に、７０度開いた時と９０度開いた時に、可動体３の回転に伴って四つの固定カム２Ｂと四つの可動カム４Ａや４Ｂが噛合するため、ここで節度感触が発生し、開閉操作が滑らかに行われず引掛かり感が生じてしまう。
【００１９】
なお、固定カム２Ｂや可動カム４Ａ，４Ｂの数を減らし、例えば、固定カム２Ｂと可動カム４Ａは０度と１８０度の位置に、可動カム４Ｂは２０度と２００度の位置に各々二つずつ設ければ、以上のような引掛かり感を防ぐことができるが、各カムを二つずつにすると、下面に固定カム２Ｂを設けた節度板２へのばね５の付勢が不均等なものとなる。
【００２０】
つまり、可動体３を回転する途中の、固定カム２Ｂと可動カム４Ａ，４Ｂが外れた状態で節度板２の傾きが発生し、これによって固定カム２Ｂが弾接した可動体３にも傾きが生じ、開閉操作が不安定なものとなってしまうため、固定体１や可動体３を板状のもので構成する場合には、上記のような四つのカムの組合せが一般的に用いられているものであった。
【００２１】
なお、この出願の発明に関連する先行技術文献情報としては、例えば、特許文献１が知られている。
【特許文献１】特開２００２−２０６５２０号公報
【発明の開示】
【発明が解決しようとする課題】
【００２２】
しかしながら、上記従来の開閉装置においては、互いに噛合する四つの固定カム２Ｂと四つの可動カム４Ａや４Ｂが、回転中心に対し同半径上に等間隔で形成されているため、開閉操作の際、途中で各カムが噛合し、引掛かり感のある感触になってしまうという課題があった。
【００２３】
本発明は、このような従来の課題を解決するものであり、滑らかで確実な開閉操作が可能な開閉装置を提供することを目的とする。
【課題を解決するための手段】
【００２４】
上記目的を達成するために本発明は、以下の構成を有するものである。
【００２５】
本発明の請求項１に記載の発明は、貫通孔外周の四つの固定カムと可動カムの対向する一対を内寄りに、これと直交方向の一対を外寄りに形成したものであり、例えば、０度と１８０度の位置の一対のカムと、９０度と２７０度の位置の一対のカムを、一方を内寄りに他方を外寄りに設けることによって、開閉操作の際、閉状態または開状態になるまでは固定カムと可動カムが噛合しないため、引掛かり感がなく、滑らかで確実な開閉操作が可能な開閉装置を得ることができるという作用を有する。
【００２６】
請求項２に記載の発明は、請求項１記載の発明において、固定軸の端部と可動体の間に、摺滑体を挟持したものであり、摺滑体によって固定軸に対する可動体の回転が滑らかに行われるため、さらに操作感触を良好なものとすることができるという作用を有する。
【発明の効果】
【００２７】
以上のように本発明によれば、滑らかで確実な開閉操作が可能な開閉装置を実現することができるという有利な効果が得られる。
【発明を実施するための最良の形態】
【００２８】
以下、本発明の実施の形態について、図１〜図３を用いて説明する。
【００２９】
なお、背景技術の項で説明した構成と同一構成の部分には同一符号を付して、詳細な説明を簡略化する。
【００３０】
（実施の形態）
図１は本発明の一実施の形態による開閉装置の断面図、図２は同分解斜視図であり、同図において、１は略板状で鋼や銅合金等の金属製の固定体、１２は略円盤状で鋼や銅合金等の節度板で、固定体１左端には略小判状の貫通孔１Ａが形成されると共に、節度板１２の略小判状の貫通孔１２Ａの外周下面には、四つの凸状の固定カム１３Ａ〜１３Ｄが９０度間隔で設けられている。
【００３１】
そして、これらの四つの固定カムは、固定体１の長手方向に対して０度と１８０度の位置の、対向する一対の固定カム１３Ａと１３Ｃは外寄り、これに直交方向の９０度と２７０度の位置の、一対の固定カム１３Ｂと１３Ｄは内寄りの、貫通孔１２Ａ中心からは異なる半径上に形成されている。
【００３２】
また、１４は略板状で鋼や銅合金等の可動体で、右端に円形の貫通孔１４Ａが形成されると共に、この貫通孔１４Ａ外周上面には、可動体１４の長手方向に対して０，９０，１８０，２７０度の位置に、９０度間隔で四つの凹状の可動カム１５Ａ〜１５Ｄと、この可動カム１５Ａ〜１５Ｄから２０度離れた、可動体１４の長手方向に対して２０，１１０，２００，２９０度の位置に四つの凹状の可動カム１６Ａ〜１６Ｄが設けられている。
【００３３】
そして、この対向する一対の０度と１８０度の位置の可動カム１５Ａ，１５Ｃと、２０度と２００度の位置の１６Ａ，１６Ｃは外寄り、これに直交方向の一対の９０度と２７０度の位置の可動カム１５Ｂ、１５Ｄと、１１０度と２９０度の位置の１６Ｂ，１６Ｄは内寄りに、貫通孔１４Ａ中心から異なる半径上に形成されている。
【００３４】
また、５は略リング状で金属薄板製のばねで、固定体１下面と節度板１２の間に、やや撓んだ状態で装着され、このばね５によって節度板１２が下方へ付勢され、節度板１２下面の固定カム１３Ａ〜１３Ｄと、可動体１４上面の可動カム１５Ａ〜１５Ｄが弾接している。
【００３５】
また、６は金属製で中空円筒状の固定軸で、筒部６Ａが固定体１の貫通孔１Ａやばね５、節度板１２の貫通孔１２Ａ、可動体１４の貫通孔１４Ａを挿通すると共に、下端には筒部６Ａよりも外径の大きな頭部６Ｂが形成されている。
【００３６】
さらに、この頭部６Ｂと可動体１４下面の間には、リング状でカーボン入ナイロンやニッケルめっき鋼等の摺滑体１７が挟持されている。
【００３７】
そして、固定体１上面から突出した固定軸６の筒部６Ａ上端が、可動カム１５Ａ〜１５Ｄや１６Ａ〜１６Ｄと噛合するために節度板１２が上下動可能な隙間を空け、略円錐状のポンチ(図示せず)等によって下方へ巻回かしめされて、筒部６Ａよりも外径の大きな巻回部が形成され、各部品が固定軸６によって係合されて開閉装置が構成されている。
【００３８】
なお、固定軸６の筒部６Ａ両側面には平坦部６Ｃが形成されているため、筒部６Ａが挿通する貫通孔１４Ａが円形の可動体１４は、固定軸６に対して回転可能に係合されているが、貫通孔１Ａや１２Ａが略小判状の固定体１や節度板１２は、回転しないように係止され、つまり、固定軸６を介して、可動体１４が固定体１や節度板１２に対し回転可能に係合されている。
【００３９】
また、このように構成された開閉装置は、例えば、固定体１が携帯電話やビデオカメラ等の、複数の操作部やマイクロフォン等が設けられた機器の固定筐体へ、可動体１４が表示画面やスピーカ、カメラ等が設けられた可動筐体へ各々固着され、開閉装置によって、固定筐体に対して可動筐体が開閉可能に形成されて電子機器が構成される。
【００４０】
以上の構成において、図３（ａ）の要部断面図に示すように、固定体１に対し可動体１４が平行に重なった状態、つまり可動筐体が固定筐体に対して閉じた状態では、ばね５によって付勢された節度板１２の貫通孔１２Ａ外周の、外寄りの対向する一対の固定カム１３Ａ，１３Ｃが、可動体１４の貫通孔１４Ａ外周の、外寄りの一対の可動カム１５Ａ，１５Ｃに、これに直交方向に内寄りの一対の固定カム１３Ｂ，１３Ｄが、内寄りの一対の可動カム１５Ｂ，１５Ｄに各々噛合して、可動筐体が閉状態に保持されている。
【００４１】
また、この閉状態から、可動筐体を開いて可動体１４を反時計方向へ回転すると、各可動カム１５Ａ〜１５Ｄが固定カム１３Ａ〜１３Ｄから外れ、可動体１４の回転に伴って、固定カム１３Ａ〜１３Ｄが貫通孔１４Ａ外周の可動体１４上面を弾接摺動する。
【００４２】
そして、例えば、図３（ｄ）に示すように、可動体１４を反時計方向へ１６０度まで回転すると、外寄りの一対の固定カム１３Ａ，１３Ｃと可動カム１６Ｃ，１６Ａが、内寄りの一対の固定カム１３Ｂ，１３Ｄと可動カム１６Ｄ，１６Ｂが各々噛合して、可動筐体が固定筐体に対して１６０度開いた状態に保持される。
【００４３】
また、上述したように、対向する一対の固定カム１３Ａ、１３Ｃと可動カム１５Ａ，１５Ｃや１６Ａ，１６Ｃは外寄りに、これに直交方向の一対の固定カム１３Ｂ，１３Ｄと可動カム１５Ｂ，１５Ｄや１６Ｂ，１６Ｄは内寄りに、各々回転中心から異なる半径上に形成されているため、図３（ｂ）や図３（ｃ）に示すように、可動筐体を開く途中の７０度や９０度の回転角度では、各カムは位置がずれているため噛合しない。
【００４４】
つまり、可動体１４が７０度回転した図３（ｂ）の状態では、外寄りの固定カム１３Ａと１３Ｃには内寄りの可動カム１６Ｄと１６Ｂが、内寄りの固定カム１３Ｂと１３Ｄには外寄りの可動カム１６Ａと１６Ｃが各々位置しているため、これらのカムは噛合しない。
【００４５】
また、可動体１４が９０度回転した図３（ｃ）の状態では、外寄りの固定カム１３Ａと１３Ｃには内寄りの可動カム１５Ｄと１５Ｂが、内寄りの固定カム１３Ｂと１３Ｄには外寄りの可動カム１５Ａと１５Ｃが各々位置しているため、これらのカムも噛合しない。
【００４６】
即ち、可動筐体を閉状態から１６０度または１８０度に開くまでの間、外寄りの固定カムに外寄りの可動カム、或いは内寄りの固定カムに内寄りの可動カムは噛合せず、開閉途中で回転中心から同半径上に形成されたカム同士が噛合することはないため、開閉操作時の引掛かり感がなく、滑らかで確実な開閉操作が可能なように構成されている。
【００４７】
さらに、固定軸６下端の頭部６Ｂと可動体１４下面の間には、摺滑体１７が挟持されているため、可動体１４回転時の摩擦が少なくなり、滑らかに回転が行われ、良好な操作感触が得られるようになっている。
【００４８】
このように本実施の形態によれば、四つの固定カム１３Ａ〜１３Ｄと可動カム１５Ａ〜１５Ｄや１６Ａ〜１６Ｄの、対向する一対を内寄りに、これと直交方向の一対を外寄りに、回転中心から異なる半径上に形成することによって、開閉操作の際、閉状態または開状態になるまでは固定カムと可動カムが噛合しないため、引掛かり感がなく、滑らかで確実な開閉装置を得ることができるものである。
【００４９】
また、固定軸６の端部と可動体１４の間に、摺滑体１７を挟持することによって、固定軸６に対する可動体１４の回転が滑らかに行われるため、さらに操作感触を良好なものとすることができる。
【００５０】
なお、以上の説明では、０度及び１８０度で保持するための可動カム１５Ａ〜１５Ｄと、１６０度で保持するための可動カム１６Ａ〜１６Ｄの、２０度離れた八つの可動カムを可動体１４に形成した構成として説明したが、いずれか一方の四つの可動カムのみでも本発明の実施は可能である。
【００５１】
また、固定体１と節度板１２、及び可動体１４の三つの構成部品を用いた構成について説明したが、固定体１下面に凸状の固定カムを一体に形成すると共に、固定軸６下端の頭部６Ｂと可動体１４下面の間にばね５を装着し、このばね５によって可動体１４を固定体１へ付勢する構成とすれば、使用部品数が少なくなり、安価に開閉装置を形成することができる。
【産業上の利用可能性】
【００５２】
本発明による開閉装置は、滑らかで確実な開閉操作が可能なものを得ることができ、各種電子機器に使用される開閉装置として有用である。
【図面の簡単な説明】
【００５３】
【図１】本発明の一実施の形態による開閉装置の断面図
【図２】同分解斜視図
【図３】同要部断面図
【図４】従来の開閉装置の分解斜視図
【図５】同要部断面図
【符号の説明】
【００５４】
１  固定体
１Ａ  貫通孔
５  ばね
６  固定軸
６Ａ  筒部
６Ｂ  頭部
６Ｃ  平坦部
１２  節度板
１２Ａ  貫通孔
１３Ａ，１３Ｂ，１３Ｃ，１３Ｄ  固定カム
１４  可動体
１４Ａ  貫通孔
１５Ａ，１５Ｂ，１５Ｃ，１５Ｄ  可動カム
１６Ａ，１６Ｂ，１６Ｃ，１６Ｄ  可動カム
１７  摺滑体
【図１】
2006292061.tif 000003
【図２】
2006292061.tif 000004
【図３】
2006292061.tif 000005
【図４】
2006292061.tif 000006
【図５】
2006292061.tif 000007